【手続補正書】
【提出日】平成16年3月30日(2004.3.30)
【手続補正１】
【補正対象書類名】明細書
【補正対象項目名】特許請求の範囲
【補正方法】変更
【補正の内容】
【特許請求の範囲】
【請求項１】
画像データと、所定の色空間の領域外の情報を使用するか否かを示すと共に前記画像データに関連付けられている使用情報とを用いて画像処理を実行する画像処理装置であって、
前記画像データを取り込む画像データ取り込み手段と、
前記画像データに関連付けられている前記使用情報を取得する使用情報取得手段と、
前記取得された使用情報に基づいて、前記所定の色空間の領域外の情報を使用するか否かを判定する判定手段と、
前記領域外情報を使用すると判定された場合には、前記領域外情報をその定義領域に内包し得る広い定義領域を有する広域色空間への色変換処理を含む前記画像データの画像処理を実行する画像処理手段とを備える画像処理装置。
【請求項２】
請求項１に記載の画像処理装置において、
前記領域外情報を使用しないと判定された場合には、前記画像処理手段は、前記所定の色空間と同等の定義領域を有する既定の色空間を介して前記画像データの画像処理を実行することを特徴とする画像処理装置。
【請求項３】
請求項１または請求項２に記載の画像処理装置において、
前記画像データは第１の色空間によって定義されており、
前記画像データ取り込み手段は、前記取り込んだ画像データの色空間を前記第１の色空間から第２の色空間に変換し、
前記画像処理手段は、前記第２の色空間によって定義されている画像データの色空間を、前記領域外表色値を用いて第３の色空間に変換することを特徴とする画像処理装置。
【請求項４】
請求項３に記載の画像処理装置において、
前記第１の色空間はＹＣｂＣｒの色空間であり、
前記第２の色空間は第１のＲＧＢの色空間であり、
前記第３の色空間は前記第１のＲＧＢの色空間よりも広い定義領域を有する第２のＲＧＢの色空間であることを特徴とする画像処理装置。
【請求項５】
請求項４に記載の画像処理装置において、
前記第２のＲＧＢの色空間は、ｓＲＧＢ色空間である画像処理装置。
【請求項６】
請求項４に記載の画像処理装置において、
前記第３の色空間は、第２のＲＧＢ色空間に代えて、ＣＩＥＬＡＢの色空間であることを特徴とする画像処理装置。
【請求項７】
請求項１に記載の画像処理装置において
前記画像データは、前記所定の色空間の定義領域内の表色値である第１の正の表色値と、前記所定の色空間の定義領域外の表色値である第２の正の表色値および負の表色値の少なくともいずれか一方を含むと共に、第１の色空間によって表現されており、
前記画像データ取り込み手段は、前記第１および第２の正の表色値並びに前記負の表色値を用いて、前記画像データの色空間を前記第１の色空間から第２の色空間に変換することを特徴とする画像処理装置。
【請求項８】
請求項７に記載の画像処理装置において、
前記画像処理手段は、前記画像データが前記第１および第２の正の表色値を有する場合には第１のガンマ補正値を用い、前記画像データが負の表色値を有する場合には前記第１のガンマ補正値とは異なる第２のガンマ補正値を用いて、前記画像データに対するガンマ補正を実行するガンマ補正手段を備えることを特徴とする画像処理装置。
【請求項９】
請求項８に記載の画像処理装置において、
前記第２のガンマ補正値は、前記第１のガンマ補正値よりも小さい値であることを特徴とする画像処理装置。
【請求項１０】
請求項７に記載の画像処理装置において、
前記画像処理手段は、前記第２の色空間によって表現されていると共に前記第１の正の表色値、前記第２の正の表色値および前記負の表色値を含む前記画像データを、前記第２の色空間よりも広く、前記第２の正の表色値および前記負の表色値の少なくとも一方をその定義領域内に含む第３の色空間へ変換することを特徴とする画像処理装置。
【請求項１１】
請求項８に記載の画像処理装置において、
前記第１の色空間はＲ成分、Ｇ成分、Ｂ成分によって表されるＲＧＢの色空間であり、
前記第２のガンマ補正値は、それぞれが異なる、前記Ｒ成分用の第２のガンマ補正値、前記Ｇ成分用の第２のガンマ補正値、Ｂ成分用の第２のガンマ補正値を有することを特徴とする画像処理装置。
【請求項１２】
請求項３ないし請求項１１のいずれかに記載の画像処理装置において、
前記画像データ取り込み手段による前記第１の色空間から前記第２の色空間への前記画像データの色空間の変換は、前記第１の色空間によって表されている画像データに対する第１のマトリクス演算処理によって実行され、
前記画像処理手段による前記第２の色空間から前記第３の色空間への前記画像データの色空間の変換は、前記第２の色空間で表現されている画像データに対する第２のマトリクス演算処理によって実行されることを特徴とする画像処理装置。
【請求項１３】
請求項１ないし請求項１２のいずれかに記載の画像処理装置はさらに、
前記画像処理が実行された画像データを印刷媒体上に印刷する印刷手段を備えることを特徴とする画像処理装置。
【請求項１４】
請求項１ないし請求項１３のいずれかに記載の画像処理装置において、
前記画像データと前記使用情報とは、同一の画像ファイル内に格納されていることを特徴とする画像処理装置。
【請求項１５】
画像データと、所定の色空間の定義領域外の表色値である領域外表色値を使用するか否かを示す使用情報とを用いて画像データを画像出力装置によって出力させるプログラムであって、
前記画像データを取り込む機能と、
前記取り込んだ画像データに関連付けられている前記使用情報を取得する機能と、
前記取得した使用情報に基づいて、前記領域外表色値を使用するか否かを判定する機能と、
前記領域外表色値を使用すると判定された場合には、前記領域外表色値をその定義領域内に内包し得る広い定義領域を有する色空間を介して前記画像データの画像処理を実行する機能と、
前記画像処理が施された画像データを出力する機能とをコンピュータによって実現させるプログラム。
【請求項１６】
請求項１５に記載のプログラムであって、
前記画像データは、前記所定の色空間の定義領域内の表色値である第１の正の表色値と、前記領域外表色値である第２の正の表色値および負の表色値の少なくともいずれか一方を含むと共に、第１の色空間によって表現されており、
前記画像データを取り込む機能は、前記画像データの取り込みに加えて、前記第１および第２の正の表色値並びに前記負の表色値を用いて、前記画像データの色空間を前記第１の色空間から第２の色空間に変換する機能をコンピュータによって実現させるプログラム。
【請求項１７】
請求項１６に記載のプログラムはさらに、
前記画像データが前記第１の正の表色値を有する場合には第１のガンマ補正値を用い、前記画像データが負の表色値を有する場合には前記第１のガンマ補正値とは異なる第２のガンマ補正値を用いて、前記画像データに対するガンマ補正を実行する機能をコンピュータによって実現させることを特徴とするプログラム。
【請求項１８】
画像データと画像データに対する画像処理条件を指定する画像処理制御情報とを関連付けて出力する画像データの生成装置であって、
前記画像データを取得する画像データ取得手段と、
前記画像データに対して画像処理を実行する際に、所定の色空間の領域外の情報を使用させるか否かを示す使用情報を含む前記画像処理制御情報を生成する画像処理制御情報生成手段と、
前記取得された画像データと、前記生成された画像処理制御情報とを関連付けて出力する画像データ出力手段とを備える画像データ生成装置。
【請求項１９】
請求項１８に記載の画像データ生成装置において、
前記画像データ出力手段は、前記画像処理制御情報と共に同一の画像ファイル内に格納して前記画像データを出力する画像データ生成装置。
【請求項２０】
画像データと画像データに対する画像処理条件を指定する画像処理制御情報とを関連付けて出力する画像データの生成装置であって、
所定の色空間の表色域内の表色値である第１の正の表色値と、前記所定の色空間の表色域外の表色値である第２の正の表色値および負の表色値の少なくともいずれか一方を含む前記画像データを生成する画像データ生成手段と、
前記画像データに対して画像処理を実行する際に、前記第２の正の表色値および前記負の表色値の少なくともいずれか一方を使用させるか否かを示す使用情報と、前記画像データが前記第１および第２の正の表色値を有する場合に用いるべき第１のガンマ補正値と、前記画像データが負の表色値を有する場合に用いるべき前記第１のガンマ補正値とは異なる第２のガンマ補正値とを含む画像処理制御情報を生成する画像処理制御情報生成手段と、
前記生成された画像データと前記生成された画像処理制御情報とを関連付けて出力する画像データ出力手段とを備える画像データ生成装置。
【請求項２１】
請求項２０に記載の画像データ生成装置はさらに、
前記画像処理制御情報には、前記画像データの色空間変換を実行する際に、前記所定の色空間よりも広く、前記第２の表色値および前記負の表色値の少なくとも一方をその表色域に含む色空間へ変換させるための色空間変換特性が含まれる画像データ生成装置。
【請求項２２】
請求項２０に記載の画像データ生成装置において、
前記画像データ出力手段は、前記画像処理制御情報と共に同一の画像ファイル内に格納して前記画像データを出力する画像データ生成装置。
【請求項２３】
第１の色空間によって表現されている画像データと、所定の色空間の領域外の情報を使用するか否かを示す使用情報とを用いて画像データを出力する方法であって、
前記画像データを取得し、その取得した画像データの色空間を前記第１の色空間から第２の色空間に変換し、
前記使用情報に基づいて前記領域外情報を使用するか否かを判定し、
前記領域外情報を使用すると判定した場合には、前記領域外情報を用いて、前記第２の色空間によって表現されている画像データの色空間を第３の色空間に変換し、
前記変換された画像データを出力する
画像データの出力方法。
【請求項２４】
画像データを出力する方法であって、
第１の色空間によって表現されている前記画像データを取得し、その取得した画像データの色空間を前記第１の色空間から第２の色空間に変換し、
前記変換により得られた第２の色空間に関する情報、および、前記第２の色空間を定義する領域外の情報を保持し、前記第２の色空間を定義する領域の情報は、第１の正の領域値で表され、前記第２の色空間を定義する領域外の情報は、前記第１の正の領域値を超える第２の正の領域値、および負の領域値で表されることと、
前記画像データが前記第１の正の領域値を有する場合には第１のガンマ補正値を用い、前記画像データが負の領域値を有する場合には前記第１のガンマ補正値とは異なる第２のガンマ補正値を用いて、前記画像データに対するガンマ補正を実行し、
前記保持した情報を反映させて、前記第２の色空間によって表現されている画像データの色空間を第３の色空間に変換し、
前記変換された画像データを出力する
画像データの出力方法。
【請求項２５】
画像データに対して画像処理を実行する画像処理装置であって、
前記画像データを取り込む画像データ取り込み手段と、
前記画像データに含まれている所定の色空間の領域外の情報を使用するか否かを指示する指示手段と、
前記領域外情報の使用が指示された場合には、前記領域外情報をその定義領域に内包し得る広い定義領域を有する広域色空間への色変換処理を含む前記画像データの画像処理を実行する画像処理手段とを備える画像処理装置。
【請求項２６】
請求項２５に記載の画像処理装置において、
前記領域外情報の使用が指示されなかった場合には、前記画像処理手段は、前記所定の色空間と同等の定義領域を有する既定の色空間を介して前記画像データの画像処理を実行することを特徴とする画像処理装置。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】変更
【補正の内容】
【００２５】
本発明の第１の態様に係る画像処理装置はさらに、前記画像処理が実行された画像データを印刷媒体上に印刷する印刷手段を備えても良い。かかる場合には、画像処理を施した画像データを出力することができる。また、前記画像データと前記使用情報とは、同一の画像ファイル内に格納されていても良い。かかる場合には、画像ファイル単位にて画像データと使用情報とを取り扱うことができるので、画像データと使用情報との関連づけを容易化することができる。


【手続補正６】
【補正対象書類名】明細書
【補正対象項目名】００３５
【補正方法】変更
【補正の内容】
【００３５】
本発明の第７の態様は、画像データを出力する方法を提供する。本発明の第７の対応に係る方法は、第１の色空間によって表現されている前記画像データを取得し、その取得した画像データの色空間を前記第１の色空間から第２の色空間に変換し、前記変換により得られた第２の色空間に関する情報、および、前記第２の色空間を定義する領域外の情報を保持し、前記第２の色空間を定義する領域の情報は、第１の正の領域値で表され、前記第２の色空間を定義する領域外の情報は、前記第１の正の領域値を超える第２の正の領域値、および負の領域値で表されることと、前記画像データが前記第１の正の領域値を有する場合には第１のガンマ補正値を用い、前記画像データが負の領域値を有する場合には前記第１のガンマ補正値とは異なる第２のガンマ補正値を用いて、前記画像データに対するガンマ補正を実行し、前記保持した情報を反映させて、前記第２の色空間によって表現されている画像データの色空間を第３の色空間に変換し、前記変換された画像データを出力することを特徴とする。


【手続補正７】
【補正対象書類名】明細書
【補正対象項目名】００３７
【補正方法】削除
【補正の内容】
【手続補正８】
【補正対象書類名】明細書
【補正対象項目名】００３８
【補正方法】削除
【補正の内容】